【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
画像形成装置で印刷された用紙を測色する読取装置であって、
前記画像形成装置から出力された用紙を搬送路に沿って搬送する搬送部と、
前記搬送路に面した基準面を有し、該基準面に開口が設けられ、前記搬送路を搬送される用紙をガイドする第１ガイド部材と、
前記搬送路を搬送される用紙を、該用紙の裏面側から、前記基準面に向けて付勢し、当接させる第１対向部材と、
前記第１ガイド部材を挟んで、前記搬送路と反対側に配置された測色部であって、前記基準面に当接された状態で前記開口内の測色領域にある用紙の表面側の画像を測色する測色部と、を備え、
前記第１ガイド部材の前記基準面が、前記第１対向部材により付勢された用紙と当接することで、前記測色領域に搬送される用紙を冷却する、読取装置。
【請求項２】
色の校正用の基準プレートを有する第２対向部材と、
前記第１対向部材と前記第２対向部材とを切り替える部材移動部と、をさらに備え、
前記部材移動部は、前記測色部の校正時に、前記第２対向部材を移動させて前記基準面に当接させることで、前記基準プレートを前記測色領域に配置する、請求項１に記載の読取装置。
【請求項３】
前記搬送路を挟んで、前記第１ガイド部材と反対側に設けられた第２ガイド部材を備え、
前記第１対向部材は、前記第２ガイド部材に設けられた開口から、前記第１ガイド部材の前記基準面に向けて移動することで、搬送される用紙を前記基準面に付勢し、当接させる、請求項１または請求項２に記載の読取装置。
【請求項４】
前記第１ガイド部材および前記第２ガイド部材の少なくとも一方を移動させる、開閉機構を備え、
前記開閉機構により前記第１ガイド部材および前記第２ガイド部材の少なくとも一方を移動させることにより、ユーザーがアクセス可能なように前記搬送路が開放される、請求項３に記載の読取装置。
【請求項５】
前記第１対向部材は、３個以上の従動回転するローラーを備え、それぞれの前記ローラーの外周面が搬送される用紙と点接触することで、該用紙を前記基準面に付勢し、当接させる、請求項１から請求項４のいずれか１つに記載の読取装置。
【請求項６】
搬送される用紙の紙情報に応じて、前記第１対向部材による前記第１ガイド部材の前記基準面に向けた付勢力を変更する、請求項１から請求項５のいずれか１つに記載の読取装置。
【請求項７】
前記第１対向部材は、搬送される用紙を前記基準面に付勢する押圧位置と、搬送される用紙を付勢しない退避位置に移動可能であり、
前記第１対向部材は、前記測色部による用紙の測色を行う読取モードのときは前記押圧位置に設定され、測色を行わない非読取モードのときは前記退避位置に設定される、請求項１から請求項６のいずれか１つに記載の読取装置。
【請求項８】
前記第１ガイド部材は、用紙の搬送方向に直交する幅方向において一部の領域にのみ設けられており、前記測色部に取り付けられている、請求項１から請求項７のいずれか１つに記載に読取装置。
【請求項９】
前記第１ガイド部材は、搬送方向に直交する幅方向において、用紙の搬送領域全域にわたって設けられており、搬送方向において前記読取装置の前記測色領域よりも上流側のガイド部材の全部、または一部である、請求項１から請求項７のいずれか１つに記載の読取装置。
【請求項１０】
前記第１ガイド部材には、冷却用のフィンが設けられている、請求項１から請求項９のいずれか１つに記載の読取装置。
【請求項１１】
前記第１ガイド部材は、金属の平板で構成されている、請求項１から請求項１０のいずれか１つに記載の読取装置。
【請求項１２】
前記金属は、熱伝導率２０．９（Ｗ／ｍ／Ｋ）以上のステンレス鋼材である、請求項１１に記載の読取装置。
【請求項１３】
用紙に印刷する画像形成装置と、
前記画像形成装置で印刷された用紙を測色する読取装置であって、
前記画像形成装置から出力された用紙を搬送路に沿って搬送する搬送部と、
前記搬送路に面した基準面を有し、該基準面に開口が設けられ、前記搬送路を搬送される用紙をガイドする第１ガイド部材と、
前記搬送路を搬送される用紙を、該用紙の裏面側から、前記基準面に向けて付勢し、当接させる第１対向部材と、
前記第１ガイド部材を挟んで、前記搬送路と反対側に配置された測色部であって、前記基準面に当接された状態で前記開口内の測色領域にある用紙の表面側の画像を測色する測色部と、を備え、
前記第１ガイド部材の前記基準面が、前記第１対向部材により付勢された用紙と当接することで、前記測色領域に搬送される用紙を冷却する、読取装置と、
を備えた画像形成システム。
【請求項１４】
前記読取装置は、
色の校正用の基準プレートを有する第２対向部材と、
前記第１対向部材と前記第２対向部材とを切り替える部材移動部と、をさらに備え、
前記部材移動部は、前記測色部の校正時に、前記第２対向部材を移動させて前記基準面に当接させることで、前記基準プレートを前記測色領域に配置する、請求項１３に記載の画像形成システム。
【請求項１５】
前記測色部は、分光測色計であり、
前記読取装置は、さらに、用紙の搬送方向に直交する幅方向において、用紙搬送領域の全幅の画像を測色可能なスキャナーを備え、
前記測色部と、前記スキャナーで、搬送された用紙の同一の画像をそれぞれ測色し、得られた測色データから前記スキャナーの補正量を決定する、請求項１３または請求項１４に記載の画像形成システム。
【請求項１６】
前記第１ガイド部材は、金属の平板で構成されている、請求項１３から請求項１５のいずれか１つに記載の画像形成システム。
【請求項１７】
前記金属は、熱伝導率２０．９（Ｗ／ｍ／Ｋ）以上のステンレス鋼材である、請求項１６に記載の画像形成システム。
【手続補正２】
【補正対象書類名】明細書
【補正対象項目名】発明の名称
【補正方法】変更
【補正の内容】
【発明の名称】読取装置、および画像形成システム
【手続補正３】
【補正対象書類名】明細書
【補正対象項目名】０００１
【補正方法】変更
【補正の内容】
【０００１】
本発明は、読取装置、および画像形成システムに関する。
【手続補正４】
【補正対象書類名】明細書
【補正対象項目名】００１２
【補正方法】変更
【補正の内容】
【００１２】
（１）画像形成装置で印刷された用紙を測色する読取装置であって、
前記画像形成装置から出力された用紙を搬送路に沿って搬送する搬送部と、
前記搬送路に面した基準面を有し、該基準面に開口が設けられ、前記搬送路を搬送される用紙をガイドする第１ガイド部材と、
前記搬送路を搬送される用紙を、該用紙の裏面側から、前記基準面に向けて付勢し、当接させる第１対向部材と、
前記第１ガイド部材を挟んで、前記搬送路と反対側に配置された測色部であって、前記基準面に当接された状態で前記開口内の測色領域にある用紙の表面側の画像を測色する測色部と、を備え、
前記第１ガイド部材の前記基準面が、前記第１対向部材により付勢された用紙と当接することで、前記測色領域に搬送される用紙を冷却する、読取装置。
【手続補正５】
【補正対象書類名】明細書
【補正対象項目名】００２２
【補正方法】変更
【補正の内容】
【００２２】
（１１）前記第１ガイド部材は、金属の平板で構成されている、上記（１）から上記（１０）のいずれか１つに記載の読取装置。
（１２）前記金属は、熱伝導率２０．９（Ｗ／ｍ／Ｋ）以上のステンレス鋼材である、上記（１１）に記載の読取装置。
（１３）用紙に印刷する画像形成装置と、
前記画像形成装置で印刷された用紙を測色する読取装置であって、
前記画像形成装置から出力された用紙を搬送路に沿って搬送する搬送部と、
前記搬送路に面した基準面を有し、該基準面に開口が設けられ、前記搬送路を搬送される用紙をガイドする第１ガイド部材と、
前記搬送路を搬送される用紙を、該用紙の裏面側から、前記基準面に向けて付勢し、当接させる第１対向部材と、
前記第１ガイド部材を挟んで、前記搬送路と反対側に配置された測色部であって、前記基準面に当接された状態で前記開口内の測色領域にある用紙の表面側の画像を測色する測色部と、を備え、
前記第１ガイド部材の前記基準面が、前記第１対向部材により付勢された用紙と当接することで、前記測色領域に搬送される用紙を冷却する、読取装置と、
を備えた画像形成システム。
【手続補正６】
【補正対象書類名】明細書
【補正対象項目名】００２３
【補正方法】変更
【補正の内容】
【００２３】
（１４）前記読取装置は、
色の校正用の基準プレートを有する第２対向部材と、
前記第１対向部材と前記第２対向部材とを切り替える部材移動部と、をさらに備え、
前記部材移動部は、前記測色部の校正時に、前記第２対向部材を移動させて前記基準面に当接させることで、前記基準プレートを前記測色領域に配置する、上記（１３）に記載の画像形成システム。
【手続補正７】
【補正対象書類名】明細書
【補正対象項目名】００２４
【補正方法】変更
【補正の内容】
【００２４】
（１５）前記測色部は、分光測色計であり、
前記読取装置は、さらに、用紙の搬送方向に直交する幅方向において、用紙搬送領域の全幅の画像を測色可能なスキャナーを備え、
前記測色部と、前記スキャナーで、搬送された用紙の同一の画像をそれぞれ測色し、得られた測色データから前記スキャナーの補正量を決定する、上記（１３）または上記（１４）に記載の画像形成システム。
（１６）前記第１ガイド部材は、金属の平板で構成されている、上記（１３）から上記（１５）のいずれか１つに記載の画像形成システム。
（１７）前記金属は、熱伝導率２０．９（Ｗ／ｍ／Ｋ）以上のステンレス鋼材である、上記（１６）に記載の画像形成システム。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】